(57)【要約】【課題】カン・ペットボトル飲料を自動販売機に補充するのに１個・１個手で持って補充していました。【解決手段】第２のダンボール２でカン・ペットボトル５を押さえ固定していて第１のダンボール１を引き抜く事によりカン・ペットボトル５が自由に動くようになり、補充具７に外箆８・内箆９・底箆１０を設け、その間にダンボールケース６の補充口フタ４A・封切りフタ６A・固定封切りフタ６Cを差し込み固定させ、ダンボールケース６を自動販売機の入れ口まで持ち上げて、補充具からカン・ペットボトル５を入れるよう設ける。【選択図】図９
2010218366.tif 000002
【特許請求の範囲】
【請求項１】
カン・ペットボトル飲料のダンボールケースの中に第１のダンボール・第２のダンボールを入れて第１のダンボールに引き出し穴を設け、補充口部の固定フタに切れ目を入れ補充口フタを設けた、カン・ペットボトル自動販売機補充方法具。
【請求項２】
補充具に外箆と内箆・底箆を設け、その間にダンボールケースの補充口フタ・封切りフタ・固定封切りフタの縁を差し込み固定するよう設けた、請求項１のカン・ペットボトル自動販売機補充方法具。
【発明の詳細な説明】
【技術分野】
【０００１】
本発明は、カン・ペットボトル飲料の自動販売機のカン・ペットボトル自動販売機補充方法具に関するものである。
【背景技術】
【０００２】
従来の特許文献は、全体的に補充具を開放口に被せていましたが、カン・ペットボトルがダンボールケースに一杯でスペースが無く、補充するのに無理があった。
【先行技術文献】
【特許文献】
【０００３】
【特許文献１】特許第３８６１６８７号
【特許文献２】特開平９−７５１２４
【特許文献３】特開平８−１６１６１１
【特許文献４】特開平１０−２６９４２１
【特許文献５】特開平１１−１９１１７５
【非特許文献】
【０００４】
【非特許文献１】産業経済新聞  平成２１年（２００９）日刊２３７９０号２月１９日（木）１５ページ、間伐材を使った紙製飲料容器、カートカン注目集める
【発明の概要】
【発明が解決しようとする課題】
【０００５】
カン・ペットボトルを自動販売機に補充するのにのり付けされているダンボールケースの封切りフタを開けて、カン・ペットボトルを１個・１個手で持って補充していた。
【課題を解決するための手段】
【０００６】
本発明は、第２のダンボールでカン・ペットボトルを押さえていて第１のダンボールの引き出し穴に指を掛けて引き抜く事によりスペースが出来カン・ペットボトルが自由に動くようになり、プラスチック製の補充具の外箆と内箆・底箆の間にダンボールケースの補充口フタ・封切りフタ・固定封切りフタを外側に折り合わせた補充口部の縁に差し込み固定させ、ダンボールケースを自動販売機の上部の入れ口まで持ち上げて補充具からカン・ペットボトルを入れる事で上記課題を解決する。
【発明の効果】
【０００７】
本発明は、第１のダンボールを取り出す事により、第２のダンボールで押さえられていたカン・ペットボトルが自由に動くようになり、プラスチック製の補充具により１個・１個手で自動販売機の中に補充することなく何個でも一度に補充する事が出来る。
【図面の簡単な説明】
【０００８】
【図１】本発明のカン・ペットボトル自動販売機補充方法具の第１のダンボール１・第２のダンボール２・切れ目４の収まり図
【図２】本発明のカン・ペットボトル自動販売機補充方法具の第１のダンボール１の上面図
【図３】本発明のカン・ペットボトル自動販売機補充方法具の第１のダンボール１の正面図
【図４】本発明のカン・ペットボトル自動販売機補充方法具の第２のダンボール２の上面図
【図５】本発明のカン・ペットボトル自動販売機補充方法具の第２のダンボール２の正面図
【図６】本発明のカン・ペットボトル自動販売機補充方法具の補充具７の上面図
【図７】本発明のカン・ペットボトル自動販売機補充方法具の補充具７の正面図
【図８】本発明のカン・ペットボトル自動販売機補充方法具の補充具７の側面図
【図９】本発明のカン・ペットボトル自動販売機補充方法具の補充具７のダンボールケースへの固定実施図
【発明を実施するための形態】
【０００９】
本発明のカン・ペットボトル自動販売機補充方法具は、図１・図２・図３・図４・図５に示されるようにダンボールケース６の中に厚手の第１のダンボール１とダンボールケース６と同じ材質の第２のダンボール２を入れてカン・ペットボトル５を固定させるよう設け、第１のダンボールの引き出し穴３に指を掛け引き出す事によりスペースができカン・ペットボトル５が自由に動くようになり、固定フタ６Bに切れ目４を設け、補充口フタ４A・封切りフタ６A・固定封切りフタ６Cをダンボールケース６の外側に折り合わせるよう設け、固定フタ６Bは、カン・ペットボトル５が外に出ないようにのりを剥がさずに残すよう設け、図６・図７・図８に示されるようにプラスチック製の補充具７に外箆８と内箆９・底箆１０を設け、その間にダンボールケース６の補充口フタ４A・封切りフタ６A・固定封切りフタ６Cを挟み込んで固定させるよう設け、図９に示されるように固定フタ６Bを補充具７の上部に有るフタ押さえ部１１で押さえるよう設ける。
【実施例】
【００１０】
ダンボールケース６に補充具７を固定させ、片手でダンボールケース６の後ろ側を持ち片手で補充具７の下部を押さえて外箆８を指で押さえて、自動販売機の上部にあるカン・ペットボトルの入れ口まで持ち上げ傾けて補充する。
【００１１】
固定フタ６Bと補充フタ４Aの切れ目４はミシン目の切れ目にするか、全体を切って固定封切りフタ６Cにのり付けにするかの２通りの方法があり強度面・ローコスト面の良い方を使用する。
【００１２】
第２のダンボール２はカン・ペットボトル５がなくなるまで固定させるために第１のダンボール１を出し入れするので最後まで中に入れておく。
【００１３】
プラスチック製の補充具７の内箆９・底箆１０は一体で設け、ダンボールケース６の内側の寸法に合わせて作る。また、カン・ペットボトル５の各サイズにより補充具７を作る。
【産業上の利用可能性】
【００１４】
ダンボールケースに補充具を取り付けてスムーズに補充作業が出来るので、冬場・夏場の自動販売機の中のホット・クール飲料のカン・ペットボトルが冷めたり・温まる事がなくなり、店とうに陳列する時も第１のダンボールを引き抜く事で第２のダンボールの押さえがなくなりスムーズに取り出す事が出来る。また、間伐材を使った紙製飲料容器のカートカンにも使用できるので利用可能性はある。
【符号の説明】
【００１５】
１    第１のダンボール
２    第２のダンボール
３    引き出し穴
４    切れ目
４A  補充口フタ
５    カン・ペットボトル
６    ダンボールケース
６A  封切りフタ
６B  固定フタ
６C  固定封切りフタ
７    補充具
８    外箆
９    内箆
１０  底箆
【図１】
2010218366.tif 000003
【図２】
2010218366.tif 000004
【図３】
2010218366.tif 000005
【図４】
2010218366.tif 000006
【図５】
2010218366.tif 000007
【図６】
2010218366.tif 000008
【図７】
2010218366.tif 000009
【図８】
2010218366.tif 000010
【図９】
2010218366.tif 000011
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
カン・ペットボトル飲料のダンボールケースの中に第１のダンボール・第２のダンボールを合わせて入れて第１のダンボールに引き出し穴を設け、補充口部の固定フタに切れ目を入れ補充口フタを設けた、カン・ペットボトル自動販売機補充用具。
【請求項２】
補充具に外箆と内箆・底箆を設け、その間にダンボールケースの補充口フタ・封切りフタ・固定封切りフタの縁を差し込み固定するよう設けた、請求項１のカン・ペットボトル自動販売機補充用具。
【手続補正３】
【補正対象書類名】明細書
【補正対象項目名】０００１
【補正方法】変更
【補正の内容】
【０００１】  本発明は、カン・ペットボトル飲料の自動販売機のカン・ペットボトル自動販売機補充用具に関するものである。
【手続補正４】
【補正対象書類名】明細書
【補正対象項目名】０００５
【補正方法】変更
【補正の内容】
【０００５】  本発明は、第１・第２のダンボールを合わせて入れる事により、第２のダンボールでカン・ペットボトルを押さえていて第１のダンボールの引き出し穴に指を掛けて引き抜く事が容易に出来るようになりスペースが出来カン・ペットボトルが自由に動くようになり、プラスチック製の補充具の外箆と内箆・底箆の間にダンボールケースの補充口フタ・封切りフタ・固定封切りフタを外側に折り合わせた補充口部の縁に差し込み固定させ、ダンボールケースを自動販売機の上部の入れ口まで持ち上げて補充具からカン・ペットボトルを入れる事で上記課題を解決する。
【手続補正５】
【補正対象書類名】明細書
【補正対象項目名】０００７
【補正方法】変更
【補正の内容】
【０００７】  本発明のカン・ペットボトル自動販売機補充用具は、図１・図２・図３・図４・図５に示されるようにダンボールケース６の中に厚手の第１のダンボール１とダンボールケース６と同じ材質の第２のダンボール２を入れてカン・ペットボトル５を固定させるよう設け、第１のダンボールの引き出し穴３に指を掛け引き出す事によりスペースができカン・ペットボトル５が自由に動くようになり、固定フタ６Bに切れ目４を設け、補充口フタ４A・封切りフタ６A・固定封切りフタ６Cをダンボールケース６の外側に折り合わせるよう設け、固定フタ６Bは、カン・ペットボトル５が外に出ないようにのりを剥がさずに残すよう設け、図６・図７・図８に示されるようにプラスチック製の補充具７に外箆８と内箆９・底箆１０を設け、その間にダンボールケース６の補充口フタ４A・封切りフタ６A・固定封切りフタ６Cを挟み込んで固定させるよう設け、図９に示されるように固定フタ６Bを補充具７の上部に有るフタ押さえ部１１で押さえるよう設ける。
【手続補正６】
【補正対象書類名】明細書
【補正対象項目名】０００８
【補正方法】変更
【補正の内容】
【０００８】
【図１】本発明のカン・ペットボトル自動販売機補充用具の第１のダンボール１・第２のダンボール２・切れ目４の収まり図
【図２】本発明のカン・ペットボトル自動販売機補充用具の第１のダンボール１の上面図
【図３】本発明のカン・ペットボトル自動販売機補充用具の第１のダンボール１の正面図
【図４】本発明のカン・ペットボトル自動販売機補充用具の第２のダンボール２の上面図
【図５】本発明のカン・ペットボトル自動販売機補充用具の第２のダンボール２の正面図
【図６】本発明のカン・ペットボトル自動販売機補充用具の補充具７の上面図
【図７】本発明のカン・ペットボトル自動販売機補充用具の補充具７の正面図
【図８】本発明のカン・ペットボトル自動販売機補充用具の補充具７の側面図
【図９】本発明のカン・ペットボトル自動販売機補充用具の補充具７のダンボールケースへの固定実施図
【手続補正７】
【補正対象書類名】図面
【補正対象項目名】図７
【補正方法】変更
【補正の内容】
【図７】
2010218366.tif 000012
【手続補正８】
【補正対象書類名】図面
【補正対象項目名】図８
【補正方法】変更
【補正の内容】
【図８】
2010218366.tif 000013
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
カン・ペットボトル飲料のダンボールケースの中に第１のダンボール・第２のダンボールをカン・ペットボトル飲料を押圧す方向に重ね合わせて入れた、カン・ペットボトル自動販売機補充用具。
【請求項２】
外箆と内箆・底箆を設けた補充具を、前記外箆と内箆・底箆の間にダンボールケースの補充口フタ・封切りフタ・固定封切りフタの縁を差し込み固定するよう設けた、請求項１のカン・ペットボトル自動販売機補充用具。
【手続補正書】
【提出日】平成22年2月3日(2010.2.3)
【手続補正１】
【補正対象書類名】特許請求の範囲
【補正対象項目名】請求項１
【補正方法】変更
【補正の内容】
【請求項１】
カン・ペットボトル飲料のダンボールケースの中に第１のダンボール・第２のダンボールを、カン・ペットボトル飲料を押圧する方向に重ね合わせて入れて、第１のダンボールに引き出し穴を設け、補充口部の固定フタに切れ目を入れた補充口フタを設けた、カン・ペットボトル自動販売機補充用具。